(57)【要約】【課題】一例として、所望の応力で破断を生じやすい脆弱部形成材を得る。【解決手段】実施形態に係る製造方法は、一例として、一つの部材に、凹状部分を形成することと、回転中心まわりに回転する工具を、前記部材に圧入することで、前記部材に、当該部材の材料が攪拌された攪拌部分を形成することと、を備え、前記攪拌部分と前記部材における他の部分との間の境界の少なくとも一部が、前記凹状部分又はその近傍に位置する。【選択図】図２
2020161329.tif 000002
【特許請求の範囲】
【請求項１】
一つの部材に、凹状部分を形成することと、
回転中心まわりに回転する工具を、前記部材に圧入することで、前記部材に、当該部材の材料が攪拌された攪拌部分を形成することと、
を具備し、
前記攪拌部分と前記部材における他の部分との間の境界の少なくとも一部が、前記凹状部分又はその近傍に位置する、
脆弱部形成材の製造方法。
【請求項２】
前記部材は、第１の面を有し、
前記凹状部分は、前記部材に、前記第１の面の反対側に位置する当該部材の表面によって形成され、
前記凹状部分は、前記第１の面との間の距離が、当該凹状部分の他の部分よりも短い深部を有する、
請求項１の脆弱部形成材の製造方法。
【請求項３】
前記攪拌部分は、前記第１の面と前記凹状部分との間に亘って形成される、請求項２の脆弱部形成材の製造方法。
【請求項４】
前記部材は、第１の面を有し、
前記凹状部分は、前記部材に、前記第１の面の反対側に位置する第２の面と、当該第２の面と交差し且つ前記第１の面から遠ざかる方向に当該第２の面から延びる第３の面と、前記第２の面と前記第３の面との角部分と、を形成することで、当該角部分により形成され、
前記攪拌部分は、前記第１の面と交差する方向に延びる前記回転中心まわりに回転する工具を、前記部材に圧入することで形成される、
請求項１の脆弱部形成材の製造方法。
【請求項５】
前記攪拌部分は、前記第１の面と前記第２の面との間に亘って形成される、請求項４の脆弱部形成材の製造方法。
【請求項６】
前記角部分は、前記第１の面との間の距離が、当該角部分の他の部分よりも短い深部を有する、請求項４又は請求項５の脆弱部形成材の製造方法。
【請求項７】
前記回転中心は、前記第１の面と斜めに交差する方向に延び、
前記攪拌部分の形成において、前記工具は、前記回転中心に沿う方向に、前記部材に圧入される、
請求項６の脆弱部形成材の製造方法。
【請求項８】
前記凹状部分は、前記工具を前記部材に圧入することで形成される、請求項１乃至請求項７のいずれか一つの脆弱部形成材の製造方法。
【請求項９】
前記部材に圧入された前記工具により前記材料を塑性流動させることで、前記部材に隆起部分を形成すること、
をさらに具備し、
前記部材は、前記第１の面の反対側に位置するとともに前記第２の面よりも前記第１の面から離間した第４の面をさらに有し、
前記第３の面は、前記第２の面と前記第４の面との間で延び、
前記隆起部分は、前記第４の面から突出し、又は前記第１の面と直交する方向に前記第４の面と重なる位置において前記第１の面から突出する、
請求項４乃至請求項７のいずれか一つの脆弱部形成材の製造方法。
【請求項１０】
請求項１乃至請求項９のいずれか一つの脆弱部形成材の製造方法により製造された脆弱部形成材を含む容器に、電極及び電解質を収容すること、
を具備する密閉型電池の製造方法。
【発明の詳細な説明】
【技術分野】
【０００１】
本発明の実施形態は、脆弱部形成材の製造方法及び密閉型電池の製造方法に関する。
【背景技術】
【０００２】
従来、容器壁に防爆弁が設けられた密閉型電池が知られている（特許文献１）。当該密閉型電池において、内圧の上昇により容器壁の脆弱部が破断して防爆弁が開弁することで、内圧のさらなる上昇が抑制される。脆弱部は、プレス加工により形成される。
【先行技術文献】
【特許文献】
【０００３】
【特許文献１】特開２００３−２９７３２４号公報
【発明の概要】
【発明が解決しようとする課題】
【０００４】
しかしながら、従来の構成では、容器壁の材料のばらつきや、プレス機の加工精度のばらつきにより、脆弱部の破断が生じる内圧が、所望の値と異なってしまう可能性がある。
【０００５】
そこで、本発明は上記に鑑みてなされたものであり、所望の応力で破断を生じやすい脆弱部形成材の製造方法及び密閉型電池の製造方法を提供する。
【課題を解決するための手段】
【０００６】
本発明の実施形態に係る脆弱部形成材の製造方法は、一例として、一つの部材に、凹状部分を形成することと、回転中心まわりに回転する工具を、前記部材に圧入することで、前記部材に、当該部材の材料が攪拌された攪拌部分を形成することと、を備え、前記攪拌部分と前記部材における他の部分との間の境界の少なくとも一部が、前記凹状部分又はその近傍に位置する。よって、一例としては、凹状部分に応力集中による破断が生じやすくなり、所望の応力で破断を生じやすい脆弱部形成材を得ることができる。
【０００７】
上記脆弱部形成材の製造方法では、一例として、前記部材は、第１の面を有し、前記凹状部分は、前記部材に、前記第１の面の反対側に位置する当該部材の表面によって形成され、前記凹状部分は、前記第１の面との間の距離が、当該凹状部分の他の部分よりも短い深部を有する。よって、一例としては、深部に応力集中による破断が生じやすくなり、より所望の応力で破断を生じやすい脆弱部形成材を得ることができる。
【０００８】
上記脆弱部形成材の製造方法では、一例として、前記攪拌部分は、前記第１の面と前記凹状部分との間に亘って形成される。よって、一例としては、凹状部分で生じた破断が第１の面まで達しやすくなり、所望の応力で破断する脆弱部形成材を得やすくなる。
【０００９】
上記脆弱部形成材の製造方法では、一例として、前記部材は、第１の面を有し、前記凹状部分は、前記部材に、前記第１の面の反対側に位置する第２の面と、当該第２の面と交差し且つ前記第１の面から遠ざかる方向に当該第２の面から延びる第３の面と、前記第２の面と前記第３の面との角部分と、を形成することで、当該角部分により形成され、前記攪拌部分は、前記第１の面と交差する方向に延びる前記回転中心まわりに回転する工具を、前記部材に圧入することで形成される。よって、一例としては、角部分に応力集中による破断が生じやすくなり、所望の応力で破断を生じやすい脆弱部形成材を得ることができる。
【００１０】
上記脆弱部形成材の製造方法では、一例として、前記攪拌部分は、前記第１の面と前記第２の面との間に亘って形成される。よって、一例としては、角部分で生じた破断が第１の面まで達しやすくなり、所望の応力で破断する脆弱部形成材を得やすくなる。
【００１１】
上記脆弱部形成材の製造方法では、一例として、前記角部分は、前記第１の面との間の距離が、当該角部分の他の部分よりも短い深部を有する。よって、一例としては、深部に応力集中による破断が生じやすくなり、より所望の応力で破断を生じやすい脆弱部形成材を得ることができる。
【００１２】
上記脆弱部形成材の製造方法では、一例として、前記回転中心は、前記第１の面と斜めに交差する方向に延び、前記攪拌部分の形成において、前記工具は、前記回転中心に沿う方向に、前記部材に圧入される。よって、一例としては、第２の面及び第３の面の形成と、攪拌部分の形成とが、一緒に行われる場合、深部を有する角部分を容易に形成することができる。また、第２の面及び第３の面の形成と、攪拌部分の形成とが、別々に行われる場合、境界の少なくとも一部が深部を有する角部分に位置するような攪拌部分を容易に形成することができる。
【００１３】
上記脆弱部形成材の製造方法では、一例として、前記凹状部分は、前記工具を前記部材に圧入することで形成される。よって、一例としては、凹状部分及び攪拌部分を容易に得ることができる。
【００１４】
上記脆弱部形成材の製造方法は、一例として、前記部材に圧入された前記工具により前記材料を塑性流動させることで、前記部材に隆起部分を形成すること、をさらに備え、前記部材は、前記第１の面の反対側に位置するとともに前記第２の面よりも前記第１の面から離間した第４の面をさらに有し、前記第３の面は、前記第２の面と前記第４の面との間で延び、前記隆起部分は、前記第４の面から突出し、又は前記第１の面と直交する方向に前記第４の面と重なる位置において前記第１の面から突出する。よって、一例としては、角部分に応力集中がさらに生じやすくなり、所望の応力で破断を生じやすい脆弱部形成材を得ることができる。
【００１５】
本発明の実施形態に係る脆弱部形成材の製造方法は、一例として、上記脆弱部形成材の製造方法により製造された脆弱部形成材を含む容器に、電極及び電解質を収容すること、を備える。よって、一例としては、内部が所望の圧力に達した場合に破断を生じやすい脆弱部形成材を備えた密閉型電池を得ることができる。
【図面の簡単な説明】
【００１６】
【図１】図１は、第１の実施形態に係る密閉型電池を概略的に示す斜視図である。
【図２】図２は、第１の実施形態の蓋部材の一部を概略的に示す断面図である。
【図３】図３は、第１の実施形態の防爆弁の製造工程における蓋部材の一部を概略的に示す断面図である。
【図４】図４は、第２の実施形態に係る蓋部材の一部を概略的に示す断面図である。
【図５】図５は、第３の実施形態に係る蓋部材の一部を概略的に示す断面図である。
【図６】図６は、第３の実施形態の窪みの第１の例を概略的に示す平面図である。
【図７】図７は、第３の実施形態の窪みの第２の例を概略的に示す平面図である。
【図８】図８は、第３の実施形態の窪みの第３の例を概略的に示す平面図である。
【図９】図９は、第３の実施形態の窪みの第４の例を概略的に示す平面図である。
【図１０】図１０は、第４の実施形態に係る蓋部材の一部を概略的に示す断面図である。
【図１１】図１１は、第５の実施形態に係る蓋部材の一部を概略的に示す断面図である。
【図１２】図１２は、第６の実施形態に係る蓋部材の一部を概略的に示す断面図である。
【図１３】図１３は、第７の実施形態に係る蓋部材の一部を概略的に示す断面図である。
【図１４】図１４は、第８の実施形態に係る蓋部材の一部を概略的に示す断面図である。
【図１５】図１５は、第９の実施形態に係る蓋部材の一部を概略的に示す断面図である。
【図１６】図１６は、第９の実施形態の第１の工具の圧入前における蓋部材の一部を概略的に示す断面図である。
【図１７】図１７は、第９の実施形態の第１の工具が引き抜かれた蓋部材の一部を概略的に示す断面図である。
【図１８】図１８は、第９の実施形態の第１の変形例に係る蓋部材の一部を概略的に示す断面図である。
【図１９】図１９は、第９の実施形態の第２の変形例に係る蓋部材の一部を概略的に示す断面図である。
【図２０】図２０は、第１０の実施形態に係る蓋部材の一部を概略的に示す断面図である。
【図２１】図２１は、第１０の実施形態の蓋部材の一部を概略的に示す平面図である。
【図２２】図２２は、第１０の実施形態の変形例に係る蓋部材の一部を概略的に示す断面図である。
【図２３】図２３は、第１１の実施形態に係る蓋部材の一部を概略的に示す断面図である。
【図２４】図２４は、第１１の実施形態の変形例に係る蓋部材の一部を概略的に示す断面図である。
【図２５】図２５は、第１２の実施形態の第１の例に係る蓋部材の一部を概略的に示す断面図である。
【図２６】図２６は、第１２の実施形態の第２の例に係る蓋部材の一部を概略的に示す断面図である。
【発明を実施するための形態】
【００１７】
（第１の実施形態）
以下に、第１の実施形態について、図１乃至図３を参照して説明する。なお、本明細書においては基本的に、鉛直上方を上方向、鉛直下方を下方向と定義する。また、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【００１８】
図１は、第１の実施形態に係る密閉型電池１０を概略的に示す斜視図である。密閉型電池（以下、電池と称する）１０は、例えば、リチウムイオン二次電池である。なお、電池１０は、他の種類の電池であっても良い。
【００１９】
電池１０は、容器１１と、電極群１２と、電解液１３と、二つの外部端子１５とを有する。電極群１２は、電極と称され得る。電解液１３は、電解質と称され得る。容器１１は、箱部材１１ａ及び蓋部材１１ｂを有する。蓋部材１１ｂは、部材及び脆弱部形成材と称され得る。
【００２０】
図面に示されるように、本明細書において、Ｘ軸、Ｙ軸及びＺ軸が定義される。Ｘ軸とＹ軸とＺ軸とは、互いに直交する。Ｘ軸は、蓋部材１１ｂの長さに沿う。Ｙ軸は、蓋部材１１ｂの幅に沿う。Ｚ軸は、蓋部材１１ｂの厚さに沿う。
【００２１】
また、本明細書において、Ｘ方向、Ｙ方向、Ｚ方向が定義される。Ｘ方向は、Ｘ軸に沿う方向であって、Ｘ軸の矢印が示す＋Ｘ方向と、Ｘ軸の矢印の反対の−Ｘ方向とを含む。Ｙ方向は、Ｙ軸に沿う方向であって、Ｙ軸の矢印が示す＋Ｙ方向と、Ｙ軸の矢印の反対の−Ｙ方向とを含む。Ｚ方向は、Ｚ軸に沿う方向であって、Ｚ軸の矢印が示す＋Ｚ方向と、Ｚ軸の矢印の反対の−Ｚ方向とを含む。
【００２２】
箱部材１１ａは、例えば、アルミニウムのような金属によって作られ、＋Ｚ方向の端部が解放された略直方体状の箱型に形成される。なお、箱部材１１ａは、例えば、円筒状のような他の形状に形成されても良い。箱部材１１ａの内部に、電極群１２及び電解液１３が収容される。
【００２３】
電極群１２は、例えば、正極板と、負極板と、セパレータとを含む。セパレータは、正極板と負極板との間に介在する。電極群１２は、例えば、巻回されて容器１１の内部で電解液１３に浸されている。なお、電極群１２は、この例に限られない。また、電解液１３の代わりに、他の電解質が電極群１２とともに容器１１の内部に収容されても良い。
【００２４】
蓋部材１１ｂは、例えば、アルミニウムのような金属によって作られ、Ｘ−Ｙ平面上に延びる板状に形成される。Ｘ方向における蓋部材１１ｂの長さは、Ｙ方向における蓋部材１１ｂの長さ（幅）よりも長く、且つＺ方向における蓋部材１１ｂの長さ（厚さ）よりも長い。また、蓋部材１１ｂの幅は、蓋部材１１ｂの厚さよりも長い。なお、蓋部材１１ｂは、他の材料によって作られても良い。また、蓋部材１１ｂの材料と、箱部材１１ａの材料とが異なっても良い。
【００２５】
図２は、第１の実施形態の蓋部材１１ｂの一部を概略的に示す断面図である。図２に示すように、蓋部材１１ｂは、下面２１と、上面２２とを有する。下面２１は、第１の面及び第１の表面と称され得る。上面２２は、第４の面及び第３の表面と称され得る。なお、下面２１及び上面２２の呼称は、図２に基づき便宜的に付されるものであり、下面２１及び上面２２の位置及び向きを限定するものではない。
【００２６】
下面２１は、略平坦に形成され、−Ｚ方向に向く。なお、下面２１は、例えば、凹凸、段、−Ｚ方向と異なる方向に向く部分を有しても良いし、曲面であっても良い。下面２１は、容器１１の内面を形成する。なお、下面２１は、この例に限られない。
【００２７】
下面２１の外縁部は、箱部材１１ａの＋Ｚ方向の端部に、例えば溶接によって固定される。これにより、蓋部材１１ｂが箱部材１１ａを塞ぎ、容器１１が形成される。なお、蓋部材１１ｂは、他の部分において箱部材１１ａに固定されても良い。
【００２８】
上面２２は、下面２１の反対側に位置する。上面２２は、略平坦に形成され、＋Ｚ方向に向く。なお、上面２２は、例えば、凹凸、段、＋Ｚ方向と異なる方向に向く部分を有しても良いし、曲面であっても良い。上面２２は、容器１１の外面を形成する。なお、上面２２は、この例に限られない。
【００２９】
図１に示すように、外部端子１５は、蓋部材１１ｂに設けられ、上面２２から突出する。二つの外部端子１５はそれぞれ、蓋部材１１ｂを貫通し、対応する電極群１２の負極板及び正極板に電気的に接続される。
【００３０】
蓋部材１１ｂに、防爆弁２５が設けられる。防爆弁２５は、脆弱部と称され得る。蓋部材１１ｂは、防爆弁２５において、電池１０の内圧が所定の値に達した場合に破断する。これにより、電池１０の内圧が所定の値よりも上昇することが抑制される。
【００３１】
以下、防爆弁２５が形成された蓋部材１１ｂ、及び当該蓋部材１１ｂを備える電池１０の製造方法の一部について例示する。なお、蓋部材１１ｂ及び電池１０の製造方法は以下の方法に限らず、他の方法を用いても良い。
【００３２】
図３は、第１の実施形態の防爆弁２５の製造工程における蓋部材１１ｂの一部を概略的に示す断面図である。第１の実施形態では、図３に示すように、上面２２から、蓋部材１１ｂに第１の工具３０が圧入される。第１の工具３０は、工具と称され得る。
【００３３】
第１の工具３０は、例えば、摩擦攪拌接合（Ｆｒｉｃｔｉｏｎ  Ｓｔｉｒ  Ｗｅｌｄｉｎｇ；ＦＳＷ）に用いられるツールである。なお、第１の工具３０は、この例に限られない。第１の工具３０は、回転軸Ａｘに沿って延びる略円柱状に形成される。回転軸Ａｘは、回転中心と称され得る。
【００３４】
回転軸Ａｘは、略円柱状の第１の工具３０の中心軸である。なお、回転軸Ａｘは、この例に限られない。第１の工具３０は、例えばモータのような駆動装置によって、回転軸Ａｘまわりに回転することが可能である。
【００３５】
さらに、第１の工具３０は、Ｘ方向、Ｙ方向、及びＺ方向に、蓋部材１１ｂに対して相対的に移動することが可能である。例えば、蓋部材１１ｂが載置されるテーブルが移動することで、第１の工具３０が蓋部材１１ｂに対して相対的に移動する。第１の工具３０は、少なくとも回転軸Ａｘに沿う方向に、蓋部材１１ｂに対して移動することが可能である。
【００３６】
第１の工具３０は、端面３１と、外周面３２とを有する。端面３１は、回転軸Ａｘが延びる方向（以下、軸方向と称する）に向く略平坦な面である。なお、端面３１は、突出し又は窪む曲面であっても良い。外周面３２は、端面３１から軸方向に延びる略円筒形の面である。なお、外周面３２に、凹凸が設けられても良い。
【００３７】
第１の工具３０は、下面２１と交差する方向に延びる回転軸Ａｘまわりに回転しながら、一つの部材としての蓋部材１１ｂに圧入される。本実施形態において、回転軸Ａｘは、下面２１と直交する方向に延びる。
【００３８】
回転する第１の工具３０が蓋部材１１ｂに圧入されることで、第１の工具３０と蓋部材１１ｂとの摩擦熱により、蓋部材１１ｂの材料が軟化する。軟化した材料は、第１の工具３０の回転力により塑性流動し、攪拌される。このように、回転する第１の工具３０によって、蓋部材１１ｂに、当該蓋部材１１ｂの材料が攪拌された攪拌部分４１が形成される。
【００３９】
攪拌部分４１では、材料の結晶粒が微細化する。これにより、攪拌部分４１は、蓋部材１１ｂにおける攪拌されていない他の部分４２よりも硬くなる。すなわち、攪拌部分４１と他の部分４２とは、結晶粒の構造及び硬さにおいて、互いに異なっている。なお、他の部分４２の少なくとも一部が、攪拌部分４１より硬くても良い。
【００４０】
図２に示すように、第１の工具３０は、所望の深さまで蓋部材１１ｂに圧入されると、蓋部材１１ｂから引き抜かれる。第１の工具３０の圧入により、蓋部材１１ｂに窪み４５が形成される。窪み４５は、上面２２に開口する有底の穴である。
【００４１】
第１の工具３０が蓋部材１１ｂに圧入されて窪み４５が形成されることで、蓋部材１１ｂに底面４６と、内側面４７と、底面４６及び内側面４７の角部分４８とが形成される。底面４６は、第２の面及び第２の表面と称され得る。内側面４７は、第３の面と称され得る。底面４６、内側面４７、及び角部分４８は、窪み４５を形成（規定）する。
【００４２】
底面４６は、上面２２と同じく、下面２１の反対側に位置し、略平坦に形成され、＋Ｚ方向に向く。なお、底面４６は、上面２２と異なる方向に向いても良いし、凹凸を有しても良い。上面２２は、底面４６よりも下面２１から離間している。底面４６は、第１の工具３０の端面３１と略等しい円形に形成される。
【００４３】
内側面４７は、底面４６と交差し且つ下面２１から遠ざかる方向に当該底面４６から延び、上面２２に接続される。すなわち、内側面４７は、底面４６と上面２２との間で延びる。本実施形態において、内側面４７は、底面４６と直交する方向に延びる。内側面４７は、第１の工具３０の外周面３２と略等しい半径を有する略円筒形状に形成される。なお、内側面４７が延びる方向は、この例に限らず、例えば、第１の工具３０の形状によって変わり得る。例えば、内側面４７は、底面４６と斜めに交差する方向に延び、略円錐台状に形成されても良い。
【００４４】
回転する第１の工具３０は、外周面３２に接触する蓋部材１１ｂの材料を攪拌する。このため、内側面４７は、攪拌部分４１によって形成される。なお、内側面４７に限らず、例えば、窪み４５の近傍における上面２２の一部も、攪拌部分４１によって形成される。
【００４５】
回転軸Ａｘに近いほどトルクは小さくなる。このため、回転軸Ａｘの近傍において、第１の工具３０の端面３１が蓋部材１１ｂに作用させるトルクは小さく、蓋部材１１ｂの材料が攪拌され難い。底面４６の少なくとも一部は、蓋部材１１ｂにおける攪拌されていない他の部分４２によって形成される。
【００４６】
攪拌部分４１と他の部分４２との間の境界Ｂの少なくとも一部は、底面４６と内側面４７との角部分４８、又はその近傍に位置する。角部分４８は、底面４６と内側面４７とが互いに接続された部分であり、底面４６及び内側面４７のような下面２１の反対側に位置する蓋部材１１ｂの表面により形成される。角部分４８において、底面４６と内側面４７とは、直接的に交差しても良いし、曲面状の部分を介して接続されても良い。
【００４７】
上述のように、攪拌部分４１と、蓋部材１１ｂにおける他の部分４２とは、結晶粒の構造及び硬度が異なる。このため、攪拌部分４１と他の部分４２との間の境界Ｂは、応力集中が生じやすい。
【００４８】
また、内側面４７は、底面４６と交差し且つ下面２１から遠ざかる方向に当該底面４６から延びる。このため、底面４６と内側面４７との角部分４８は、凹状部分Ｒを形成し、応力集中が生じやすい。蓋部材１１ｂに力が作用する場合、角部分４８及びその近傍における応力は、蓋部材１１ｂの公称（平均）応力よりも大きくなる。
【００４９】
境界Ｂの少なくとも一部が角部分４８又はその近傍に位置することで、境界Ｂ及び角部分４８において応力集中が生じやすくなる。このため、電池１０の内圧が所定の値に達した場合、応力集中が生じる境界Ｂ及び角部分４８において、蓋部材１１ｂ（防爆弁２５）が破断し、防爆弁２５が開弁する。従って、電池１０の内圧が所定の値を超えることが抑制される。
【００５０】
上述のように、回転する第１の工具３０は、蓋部材１１ｂに圧入されることで、蓋部材１１ｂの材料を塑性流動させる。本実施形態では、図２に二点鎖線で示すように、蓋部材１１ｂに圧入された第１の工具３０によって材料を塑性流動させることで、蓋部材１１ｂに、上面２２から突出する隆起部分５１が形成されることがある。隆起部分５１は、バリと称され得る。
【００５１】
回転する第１の工具３０が蓋部材１１ｂに圧入されることで、第１の工具３０が圧入された分の材料が蓋部材１１ｂの外部へ流動する。当該材料が上面２２から突出することで、隆起部分５１が形成される。なお、塑性流動する材料が蓋部材１１ｂから切り離されても良い。
【００５２】
隆起部分５１は、例えば、蓋部材１１ｂに圧入された第１の工具３０の回転軸Ａｘの周方向に延び、略円環状に形成される。周方向は、回転軸Ａｘまわりに回転する方向である。隆起部分５１は、窪み４５の近傍において、窪み４５の縁に沿って延びる。隆起部分５１は、攪拌部分４１に接続されており、攪拌部分４１から突出する。なお、隆起部分５１は、攪拌部分４１から離間していても良い。
【００５３】
隆起部分５１が設けられた位置における蓋部材１１ｂのＺ方向の長さ（厚さ）Ｔ１は、第１の工具３０が圧入された位置における蓋部材１１ｂのＺ方向の長さ（厚さ）Ｔ２よりも長い（厚い）。Ｚ方向は、厚さ方向と称され得る。本実施形態において、厚さＴ１は、Ｚ方向における隆起部分５１の頂点と下面２１との間の距離である。厚さＴ２は、底面４６と下面２１との間の距離である。
【００５４】
上述のように、底面４６と内側面４７との角部分４８は、凹状部分Ｒを形成し、応力集中が生じやすい。加えて、隆起部分５１が形成されることにより、内側面４７が延長されたようになり、角部分４８は、さらに応力集中が生じやすくなる。
【００５５】
以上のように、攪拌部分４１が形成されるとともに、窪み４５の底面４６、内側面４７、及び角部分４８が形成されることで、蓋部材１１ｂに防爆弁２５が形成される。次に、蓋部材１１ｂの外部端子１５が、電極群１２の負極板及び正極板に電気的に接続される。
【００５６】
次に、容器１１の箱部材１１ａに電極群１２及び電解液１３が収容され、防爆弁２５が形成された蓋部材１１ｂにより、箱部材１１ａが塞がれる。蓋部材１１ｂに、上述の隆起部分５１が形成されていても良い。さらに、蓋部材１１ｂが、例えば、レーザ溶接、ＭＡＧ溶接、及び摩擦攪拌溶接のような溶接により、箱部材１１ａに固定される。以上により、容器１１に電極群１２及び電解液１３が封入され、電池１０が製造される。
【００５７】
本実施形態では、防爆弁２５は、窪み４５が電池１０の外面である上面２２で開口するように形成される。しかし、防爆弁２５はこの例に限らず、窪み４５が電池１０の内面である下面２１で開口するように形成されても良い。また、防爆弁２５は、箱部材１１ａのような容器１１の他の部分に形成されても良い。
【００５８】
防爆弁２５の形成工程において、第１の工具３０は、一つの部材である蓋部材１１ｂに圧入される。すなわち、第１の工具３０は、隙間を介し並べられ又は隙間無く密接する複数の部材に亘って圧入されず、一つの部材の連続する部分に圧入される。
【００５９】
具体的に説明すると、第１の工具３０が圧入される蓋部材１１ｂは、第１の工具３０が圧入される位置から離間した位置において、他の部材である外部端子１５に接合されていても良い。しかし、防爆弁２５の形成工程において、第１の工具３０は、蓋部材１１ｂには圧入されるが、他の部材には圧入されない。第１の工具３０は、蓋部材１１ｂにおいて、分子が連続する固体を形成するように結合している部分に圧入される。なお、第１の工具３０は、一つの部材である蓋部材１１ｂに生じた亀裂や溝のような非連続な部分を越えて蓋部材１１ｂに圧入されても良い。
【００６０】
以上説明された第１の実施形態において、攪拌部分４１と蓋部材１１ｂにおける他の部分４２との境界Ｂの少なくとも一部が、凹状部分Ｒ又はその近傍に位置する。攪拌部分４１における材料の結晶粒は、当該材料が攪拌されることにより、蓋部材１１ｂの他の部分４２における結晶粒よりも微細化する。このため、攪拌部分４１と他の部分４２との境界Ｂでは、結晶粒形状の差異、及び結晶粒形状の差異により生じる硬度の差異により、応力集中が生じやすい。また、凹状部分Ｒは、応力集中が生じやすい形状である。このように、応力集中が生じやすい境界Ｂが、応力集中が生じやすい凹状部分Ｒ又はその近傍に設けられることで、凹状部分Ｒに応力集中による破断が生じやすくなる。従って、所望の応力で破断する蓋部材１１ｂを得やすくなる。
【００６１】
凹状部分Ｒは、底面４６と、内側面４７と、底面４６と内側面４７との角部分４８と、を形成することで、角部分４８により形成される。境界Ｂの少なくとも一部が、角部分４８又はその近傍に位置する。内側面４７は、底面４６と交差し且つ下面２１から遠ざかる方向に当該底面４６から延びる。このため、底面４６と内側面４７とが略直線状に交差する角部分４８が凹状部分Ｒを形成し、応力集中が生じやすい。応力集中が生じやすい境界Ｂが、応力集中が生じやすい角部分４８又はその近傍に設けられることで、角部分４８に応力集中による破断が生じやすくなる。従って、所望の応力で破断する蓋部材１１ｂを得やすくなる。
【００６２】
凹状部分Ｒは、第１の工具３０を蓋部材１１ｂに圧入することで形成される。すなわち、凹状部分Ｒの形成と、攪拌部分４１の形成とが、一緒に行われる。従って、凹状部分Ｒ及び攪拌部分４１を容易に得ることができる。
【００６３】
蓋部材１１ｂに圧入された第１の工具３０により材料を塑性流動させることで、蓋部材１１ｂに隆起部分５１が形成される。蓋部材１１ｂは、下面２１の反対側に位置し、底面４６よりも下面２１から離間し、内側面４７によって底面４６と接続された上面２２を有する。隆起部分は、上面２２から突出する。これにより、角部分４８に応力集中がさらに生じやすくなり、所望の応力で破断する防爆弁を得やすくなる。
【００６４】
隆起部分５１は、底面４６よりも下面２１から離間した上面２２から突出する。このため、底面４６が形成された位置における蓋部材１１ｂの厚さは、上面２２が形成された位置における蓋部材１１ｂの厚さよりも薄く、且つ隆起部分５１が形成された位置における蓋部材１１ｂの厚さよりもさらに薄い。従って、底面４６が形成された位置において、蓋部材１１ｂに応力集中による破断が生じやすくなり、所望の応力で破断する脆弱部形成材を得やすくなる。
【００６５】
隆起部分５１は、回転軸Ａｘの周方向に延びる。これにより、隆起部分５１により生じる応力集中を制御しやすくなる。
【００６６】
電極群１２及び電解液１３が収容された容器１１は、蓋部材１１ｂを含む。すなわち、防爆弁２５が形成される部材は、密閉型電池１０の容器１１の一部である。これにより、内圧が所望の値に達した場合により確実に破断する防爆弁２５を備えた密閉型電池１０を得ることができる。
【００６７】
（第２の実施形態）
以下に、第２の実施形態について、図４を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００６８】
図４は、第２の実施形態に係る蓋部材１１ｂの一部を概略的に示す断面図である。図４に示すように、第２の実施形態において、回転軸Ａｘは、下面２１と斜めに交差する方向に延びる。
【００６９】
第１の工具３０は、回転軸Ａｘに沿う方向に、蓋部材１１ｂに圧入される。これにより、攪拌部分４１と、窪み４５の底面４６及び内側面４７とが形成される。第２の実施形態において、底面４６は下面２１と斜めに交差する方向に向き、内側面４７は下面２１と斜めに交差する方向に延びる。
【００７０】
底面４６は、下面２１に対して傾いている。図４の例において、底面４６は、＋Ｘ方向に向かうに従って下面２１に近づくように傾いている。このため、底面４６と内側面４７との角部分４８は、下面２１との間の距離が、当該角部分４８の他の部分よりも短い深部４８ａを有する。言い換えると、深部４８ａは、角部分４８において最も下面２１に近い部分である。なお、深部４８ａは、底面４６のうち、下面２１との間の距離が、当該底面４６の他の部分よりも短い部分でもある。
【００７１】
深部４８ａが設けられた位置において、蓋部材１１ｂは、角部分４８の他の部分が設けられた位置よりも薄い。このため、深部４８ａは、角部分４８の他の部分よりも応力集中が生じやすい。電池１０の内圧が所定の値に達した場合、応力集中が生じる境界Ｂ及び角部分４８の深部４８ａにおいて、蓋部材１１ｂ（防爆弁２５）が破断し、防爆弁２５が開弁する。従って、電池１０の内圧が所定の値を超えることが抑制される。また、角部分４８の一部である深部４８ａで破断が生じるため、蓋部材１１ｂの一部が電池１０の内部に剥落することが抑制される。
【００７２】
図４に示すように、攪拌部分４１は、下面２１と上面２２との間に亘って形成されても良い。言い換えると、攪拌部分４１は、下面２１の一部と上面２２の一部とを形成しても良い。第２の実施形態では、回転軸Ａｘが下面２１と斜めに交差する方向に延びるため、深部４８ａの近傍において攪拌部分４１が下面２１に達する。この場合、隆起部分５１が下面２１から突出する場合がある。隆起部分５１は、下面２１と直交するＺ方向に上面２２と重なる位置において、下面２１から突出する。なお、図４の例のように、Ｚ方向に上面２２と重ならない位置に隆起部分５１の一部が設けられても良い。
【００７３】
第２の実施形態において、攪拌部分４１と蓋部材１１ｂにおける他の部分４２との間の境界Ｂが、角部分４８の深部４８ａと下面２１との間に亘って設けられる。これにより、深部４８ａで生じた破断が下面２１まで達しやすくなり、所望の応力で破断する蓋部材１１ｂを得やすくなる。
【００７４】
以上説明された第２の実施形態において、角部分４８は、下面２１との間の距離が、当該角部分４８の他の部分よりも短い深部４８ａを有する。すなわち、深部４８ａにおいて蓋部材１１ｂが薄くなっているため、深部４８ａは、角部分４８の他の部分よりも応力集中が生じやすい。従って、深部４８ａに応力集中による破断が生じやすくなり、より確実に所望の応力で破断する蓋部材１１ｂを得やすくなる。
【００７５】
回転軸Ａｘは、下面２１と斜めに交差する方向に延びる。攪拌部分４１の形成において、第１の工具３０は、回転軸Ａｘに沿う方向に、蓋部材１１ｂに圧入される。これにより、例えば、底面４６及び内側面４７の形成と、攪拌部分４１の形成とが、一緒に行われる場合、深部４８ａを有する角部分４８を容易に形成することができる。また、底面４６及び内側面４７の形成と、攪拌部分４１の形成とが、別々に行われる場合、境界Ｂの少なくとも一部が深部４８ａを有する角部分４８に位置するような攪拌部分４１を容易に形成することができる。
【００７６】
（第３の実施形態）
以下に、第３の実施形態について、図５乃至図９を参照して説明する。図５は、第３の実施形態に係る蓋部材１１ｂの一部を概略的に示す断面図である。以下、第３の実施形態における蓋部材１１ｂの製造方法の一部について例示する。なお、電池１０の製造方法は以下の方法に限らず、他の方法を用いても良い。
【００７７】
第３の実施形態では、図５に示すように、まず、蓋部材１１ｂに窪み６１が形成される。窪み６１は、例えば、プレス加工によって蓋部材１１ｂに形成される。なお、窪み６１はこの例に限られず、例えば、ドリルやフライスのような他の加工により蓋部材１１ｂに形成されても良いし、鋳造のような方法によって蓋部材１１ｂに予め形成されていても良い。
【００７８】
図６乃至図９は、第３の実施形態の窪み６１の一例をそれぞれ概略的に示す平面図である。窪み６１は、例えば、図６乃至図９に示すように、円環状、略Ｖ字状、十字状、又は略Ｕ字状に形成され、上面２２に開口する有底の溝である。なお、窪み６１は、この例に限らず、例えば、円形、四角形、又は他の幾何学形状の凹部であっても良い。
【００７９】
窪み６１が形成されることで、蓋部材１１ｂに底面６２と、内側面６３と、底面６２と内側面６３との角部分６５と、が形成される。底面６２は、第２の面及び第２の表面と称され得る。内側面６３は、第３の面と称され得る。底面６２及び内側面６３は、窪み６１を形成（規定）する。
【００８０】
底面６２は、上面２２と同じく、下面２１の反対側に位置し、略平坦に形成され、＋Ｚ方向に向く。なお、底面６２は、上面２２と異なる方向に向いても良いし、凹凸を有しても良い。上面２２は、底面６２よりも下面２１から離間している。底面６２の幅は、第１の工具３０の端面３１の直径と略等しく、又は端面３１の直径よりも大きい。
【００８１】
内側面６３は、底面６２と交差し且つ下面２１から遠ざかる方向に当該底面６２から延び、上面２２に接続される。すなわち、内側面６３は、底面６２と上面２２との間で延びる。本実施形態において、内側面６３は、底面６２と直交する方向に延びる。なお、内側面６３が延びる方向は、この例に限らず、例えば、底面６２と斜めに交差する方向に延びても良い。内側面６３の幅は、第１の工具３０の外周面３２の直径と略等しく、又は外周面３２の直径よりも大きい。
【００８２】
蓋部材１１ｂに窪み６１の底面６２及び内側面６３が形成されると、底面６２から、蓋部材１１ｂに第１の工具３０が圧入される。第１の工具３０は、下面２１と交差する方向に延びる回転軸Ａｘまわりに回転しながら、一つの蓋部材１１ｂに圧入される。本実施形態において、回転軸Ａｘは、下面２１と直交する方向に延びる。
【００８３】
回転する第１の工具３０が蓋部材１１ｂに圧入されることで、第１の工具３０と蓋部材１１ｂとの摩擦熱により、蓋部材１１ｂの材料が軟化する。軟化した材料は、第１の工具３０の回転力により塑性流動し、攪拌される。このように、回転する第１の工具３０によって、蓋部材１１ｂに、当該蓋部材１１ｂの材料が攪拌された攪拌部分４１が形成される。
【００８４】
第１の工具３０は、所望の深さまで蓋部材１１ｂに圧入され、窪み６１に沿って蓋部材１１ｂに対して相対的に移動する。図５の例では、第１の工具３０は、Ｙ方向（紙面の奥又は手前方向）に移動する。第１の工具３０は、蓋部材１１ｂの材料を攪拌して攪拌部分４１を形成しながら、窪み６１に沿って移動する。
【００８５】
回転する第１の工具３０は外周面３２に接触する蓋部材１１ｂの材料を攪拌する。このため、第１の工具３０の進行方向の前後において、蓋部材１１ｂの材料が攪拌される。第１の工具３０により塑性流動させられた材料は、第１の工具３０が移動した後の空間を埋めることができる。従って、第１の工具３０が通過した位置に、攪拌部分４１によって形成された底面６２が設けられる。
【００８６】
攪拌部分４１によって形成される底面６２は、第１の工具３０によって攪拌される前の蓋部材１１ｂの底面６２と、大よそ等しい。しかし、攪拌部分４１によって形成される底面６２は、第１の工具３０によって攪拌される前の蓋部材１１ｂの底面６２と、例えば、位置、向き、及び形状が若干異なっても良い。
【００８７】
本実施形態において、第１の工具３０は、内側面６３から離間している。このため、内側面６３は、蓋部材１１ｂにおける攪拌されていない他の部分４２によって形成される。また、上面２２も、他の部分４２によって形成される。
【００８８】
攪拌部分４１と他の部分４２との間の境界Ｂの少なくとも一部は、底面６２と内側面６３との角部分６５、又はその近傍に位置する。角部分６５は、底面６２と内側面６３とが互いに接続された部分であり、底面６２及び内側面６３のような下面２１の反対側に位置する蓋部材１１ｂの表面によって形成される。角部分６５において、底面６２と内側面６３とは、直接的に交差しても良いし、曲面状の部分を介して接続されても良い。
【００８９】
上述のように、攪拌部分４１と、蓋部材１１ｂにおける他の部分４２とは、結晶粒の構造及び硬度が異なる。このため、攪拌部分４１と他の部分４２との間の境界Ｂは、応力集中が生じやすい。
【００９０】
また、内側面６３は、底面６２と交差し且つ下面２１から遠ざかる方向に当該底面６２から延びる。このため、底面６２と内側面６３との角部分６５は、凹状部分Ｒを形成し、応力集中が生じやすい。蓋部材１１ｂに力が作用する場合、角部分６５及びその近傍における応力は、蓋部材１１ｂの公称（平均）応力よりも大きくなる。
【００９１】
境界Ｂの少なくとも一部が角部分６５又はその近傍に位置することで、境界Ｂ及び角部分６５において応力集中が生じやすくなる。このため、電池１０の内圧が所定の値に達した場合、応力集中が生じる境界Ｂ及び角部分６５において、蓋部材１１ｂ（防爆弁２５）が破断し、防爆弁２５が開弁する。従って、電池１０の内圧が所定の値を超えることが抑制される。
【００９２】
以上のように、窪み６１の底面６２、内側面６３、及び角部分６５が形成されるとともに、攪拌部分４１が形成されることで、蓋部材１１ｂに防爆弁２５が形成される。
【００９３】
以上説明された第３の実施形態において、窪み６１の底面６２及び内側面６３が、攪拌部分４１よりも先に形成される。このように、窪み６１の底面６２及び内側面６３の形成と、攪拌部分４１の形成とが、別々に行われても良い。
【００９４】
（第４の実施形態）
以下に、第４の実施形態について、図１０を参照して説明する。図１０は、第４の実施形態に係る蓋部材１１ｂの一部を概略的に示す断面図である。第４の実施形態では、第３の実施形態と同じく、第１の工具３０が、予め形成された窪み６１の底面６２から、蓋部材１１ｂに圧入される。
【００９５】
図１０に示すように、第４の実施形態において、第１の工具３０は、下面２１又はその近傍に達するまで、蓋部材１１ｂに圧入される。これにより、攪拌部分４１は、底面６２から下面２１に亘って形成される。言い換えると、攪拌部分４１は、底面６２と下面２１の一部とを形成する。
【００９６】
第１の工具３０は、例えば、下面２１に沿う方向（Ｘ−Ｙ平面上の方向）に移動しながら、徐々に蓋部材１１ｂに圧入される。また、第１の工具３０は、例えば、下面２１に沿う方向に移動しながら、徐々に蓋部材１１ｂから引き抜かれる。これにより、蓋部材１１ｂに貫通孔が形成されることが抑制される。第１の工具３０は、例えば、平行移動しても良いし、回転軸Ａｘ及び進行方向と直交する軸まわりに揺動（スイング）しても良い。
【００９７】
攪拌部分４１と蓋部材１１ｂにおける他の部分４２との間の境界Ｂが、角部分６５と下面２１との間に亘って設けられる。これにより、角部分６５で生じた破断が下面２１まで達しやすくなり、所望の応力で破断する蓋部材１１ｂを得やすくなる。
【００９８】
第４の実施形態において、隆起部分５１が下面２１から突出する場合がある。隆起部分５１は、Ｚ方向に上面２２と重なる位置において下面２１から突出する。なお、図１０の例のように、Ｚ方向に上面２２と重ならない位置に隆起部分５１の一部が設けられても良い。
【００９９】
（第５の実施形態）
以下に、第５の実施形態について、図１１を参照して説明する。図１１は、第５の実施形態に係る蓋部材１１ｂの一部を概略的に示す断面図である。第５の実施形態では、第３の実施形態と同じく、第１の工具３０が、予め形成された窪み６１の底面６２から、蓋部材１１ｂに圧入される。
【０１００】
図１１に示すように、第５の実施形態において、回転軸Ａｘは、下面２１と斜めに交差する方向に延びる。第１の工具３０は、回転軸Ａｘに沿う方向に、蓋部材１１ｂに圧入される。これにより、攪拌部分４１が形成される。
【０１０１】
第５の実施形態において、底面６２は下面２１と斜めに交差する方向に向き、内側面６３は下面２１と斜めに交差する方向に延びる。回転軸Ａｘは、底面６２と略直交する方向に延びる。
【０１０２】
底面６２は、下面２１に対して傾いている。図１１の例において、底面４６は、＋Ｘ方向に向かうに従って下面２１に近づくように傾いている。このため、底面６２と内側面６３との角部分６５は、下面２１との間の距離が、当該角部分６５の他の部分よりも短い深部６５ａを有する。言い換えると、深部６５ａは、角部分６５において最も下面２１に近い部分である。
【０１０３】
深部６５ａが設けられた位置において、蓋部材１１ｂは、角部分６５の他の部分が設けられた位置よりも薄い。このため、深部６５ａは、角部分６５の他の部分よりも応力集中が生じやすい。電池１０の内圧が所定の値に達した場合、応力集中が生じる境界Ｂ及び角部分６５の深部６５ａにおいて、蓋部材１１ｂ（防爆弁２５）が破断し、防爆弁２５が開弁する。従って、電池１０の内圧が所定の値を超えることが抑制される。
【０１０４】
第４の実施形態と同じく、第１の工具３０は、下面２１又はその近傍に達するまで、蓋部材１１ｂに圧入される。これにより、攪拌部分４１が底面６２と下面２１との間に亘って形成されるとともに、境界Ｂが角部分６５から下面２１に亘って設けられる。また、第４の実施形態と同じく、隆起部分５１が下面２１から突出しても良い。
【０１０５】
（第６の実施形態）
以下に、第６の実施形態について、図１２を参照して説明する。図１２は、第６の実施形態に係る蓋部材１１ｂの一部を概略的に示す断面図である。以下、第６の実施形態における電池１０の製造方法の一部について例示する。なお、電池１０の製造方法は以下の方法に限らず、他の方法を用いても良い。
【０１０６】
第６の実施形態では、図１２に示すように、まず、蓋部材１１ｂに凸部７１が形成される。凸部７１は、例えば、プレス加工によって蓋部材１１ｂに形成される。なお、凸部７１はこの例に限られず、例えば、フライスのような他の加工により蓋部材１１ｂに形成されても良いし、鋳造のような方法によって蓋部材１１ｂに予め形成されていても良い。
【０１０７】
凸部７１は、例えば、上面２２から突出する略円柱状の突起である。第４の実施形態の上面２２は、第２の面及び第２の表面と称され得る。なお、凸部７１は、例えば、四角形又は他の幾何学形状の突起であっても良い。凸部７１は、側面７２と、頂面７３とを有する。側面７２は、第３の面と称され得る。頂面７３は、第４の面及び第３の表面と称され得る。側面７２及び頂面７３は、蓋部材１１ｂの一部である。
【０１０８】
側面７２は、上面２２と交差し且つ下面２１から遠ざかる方向に当該上面２２から延びる略円筒状の面であり、頂面７３に接続される。すなわち、側面７２は、上面２２と頂面７３との間で延びる。本実施形態において、側面７２は、上面２２と直交する方向に延びる。
【０１０９】
頂面７３は、＋Ｚ方向における凸部７１の端に位置する、略円形の面である。頂面７３は、上面２２と同じく、下面２１の反対側に位置し、略平坦に形成され、＋Ｚ方向に向く。なお、頂面７３は、上面２２と異なる方向に向いても良いし、凹凸を有しても良い。頂面７３は、上面２２よりも下面２１から離間している。
【０１１０】
蓋部材１１ｂに凸部７１の側面７２及び頂面７３が形成されると、上面２２から、蓋部材１１ｂに第１の工具３０が圧入される。第１の工具３０は、下面２１と交差する方向に延びる回転軸Ａｘまわりに回転しながら、一つの蓋部材１１ｂに圧入される。本実施形態において、回転軸Ａｘは、下面２１と直交する方向に延びる。
【０１１１】
回転する第１の工具３０が蓋部材１１ｂに圧入されることで、第１の工具３０と蓋部材１１ｂとの摩擦熱により、蓋部材１１ｂの材料が軟化する。軟化した材料は、第１の工具３０の回転力により塑性流動し、攪拌される。このように、回転する第１の工具３０によって、蓋部材１１ｂに、当該蓋部材１１ｂの材料が攪拌された攪拌部分４１が形成される。
【０１１２】
第１の工具３０は、凸部７１に隣接する位置において、上面２２から、蓋部材１１ｂに圧入される。第１の工具３０の外周面３２は、凸部７１の側面７２から僅かに離間し、又は側面７２に接触する。本実施形態では、第１の工具３０は側面７２を攪拌しないが、側面７２が攪拌されても良い。
【０１１３】
第１の工具３０は、所望の深さまで蓋部材１１ｂに圧入され、凸部７１の側面７２に沿って蓋部材１１ｂに対して相対的に移動する。第１の工具３０は、蓋部材１１ｂの材料を攪拌して攪拌部分４１を形成しながら、凸部７１の中心軸まわりに移動する。
【０１１４】
回転する第１の工具３０は外周面３２に接触する蓋部材１１ｂの材料を攪拌する。このため、第１の工具３０の進行方向の前後において、蓋部材１１ｂの材料が攪拌される。第１の工具３０により塑性流動させられた材料は、第１の工具３０が移動した後の空間を埋めることができる。従って、第１の工具３０が通過した位置に、攪拌部分４１によって形成された上面２２が設けられる。
【０１１５】
攪拌部分４１によって形成される上面２２は、第１の工具３０によって攪拌される前の蓋部材１１ｂの上面２２と、大よそ等しい。しかし、攪拌部分４１によって形成される上面２２は、第１の工具３０によって攪拌される前の蓋部材１１ｂの上面２２と、例えば、位置、向き、及び形状が若干異なっても良い。
【０１１６】
本実施形態において、第１の工具３０は、側面７２から離間している。このため、側面７２は、蓋部材１１ｂにおける攪拌されていない他の部分４２によって形成される。また、頂面７３も、他の部分４２によって形成される。
【０１１７】
攪拌部分４１と他の部分４２との間の境界Ｂの少なくとも一部は、上面２２と側面７２との角部分７５、又はその近傍に位置する。角部分７５は、上面２２と側面７２とが互いに接続された部分であり、側面７２とともにプレス加工によって形成される。角部分７５は、上面２２及び側面７２のような下面２１の反対側に位置する蓋部材１１ｂの表面によって形成される。角部分７５において、上面２２と側面７２とは、直接的に交差しても良いし、曲面状の部分を介して接続されても良い。
【０１１８】
側面７２は、上面２２と交差し且つ下面２１から遠ざかる方向に当該上面２２から延びる。このため、上面２２と側面７２との角部分７５は、凹状部分Ｒを形成し、応力集中が生じやすい。蓋部材１１ｂに力が作用する場合、角部分７５及びその近傍における応力は、蓋部材１１ｂの公称（平均）応力よりも大きくなる。
【０１１９】
境界Ｂの少なくとも一部が角部分７５又はその近傍に位置することで、境界Ｂ及び角部分７５において応力集中が生じやすくなる。このため、電池１０の内圧が所定の値に達した場合、応力集中が生じる境界Ｂ及び角部分７５において、蓋部材１１ｂ（防爆弁２５）が破断し、防爆弁２５が開弁する。従って、電池１０の内圧が所定の値を超えることが抑制される。
【０１２０】
図１２の例では、第１の工具３０は、下面２１又はその近傍に達するまで、蓋部材１１ｂに圧入される。これにより、攪拌部分４１は、上面２２と下面２１との間に亘って形成される。言い換えると、攪拌部分４１は、上面２２の一部と下面２１の一部とを形成する。
【０１２１】
攪拌部分４１と蓋部材１１ｂにおける他の部分４２との間の境界Ｂが、角部分７５と下面２１との間に亘って設けられる。これにより、角部分７５で生じた破断が下面２１まで達しやすくなり、所望の応力で破断する蓋部材１１ｂを得やすくなる。
【０１２２】
第４の実施形態と同じく、隆起部分５１が下面２１から突出しても良い。隆起部分５１は、下面２１と直交するＺ方向に頂面７３と重なる位置において、下面２１から突出する。なお、図１２の例のように、Ｚ方向に頂面７３と重ならない位置に隆起部分５１の一部が設けられても良い。
【０１２３】
以上のように、上面２２と、凸部７１の側面７２、頂面７３、及び角部分７５とが形成されるとともに、攪拌部分４１が形成されることで、蓋部材１１ｂに防爆弁２５が形成される。
【０１２４】
以上説明された第６の実施形態のように、角部分７５が形成される位置は、窪みの底に限られない。凹状部分Ｒは、窪み４５，６１のような窪んだ部分を形成することによってのみ形成されるのではなく、凸部７１のような突出した部分を形成することによっても形成され得る。
【０１２５】
（第７の実施形態）
以下に、第７の実施形態について、図１３を参照して説明する。図１３は、第７の実施形態に係る蓋部材１１ｂの一部を概略的に示す断面図である。第７の実施形態では、第６の実施形態と同じく、第１の工具３０が、予め形成された凸部７１に隣接する位置で、上面２２から蓋部材１１ｂに圧入される。
【０１２６】
第７の実施形態において凸部７１は、例えば、蓋部材１１ｂをプレス加工により曲げることで形成され、例えば、Ｙ方向に延びている。このため、第１の工具３０は、蓋部材１１ｂに圧入されると、凸部７１の側面７２に沿ってＹ軸方向に移動する。
【０１２７】
（第８の実施形態）
以下に、第８の実施形態について、図１４を参照して説明する。図１４は、第８の実施形態に係る蓋部材１１ｂの一部を概略的に示す断面図である。第８の実施形態では、第２の実施形態と同じく、回転軸Ａｘが下面２１と斜めに交差する方向に延びる。
【０１２８】
第８の実施形態において、第１の工具３０は、回転軸Ａｘに沿って延びる略円筒状に形成される。このため、蓋部材１１ｂに、略円環状の断面を有する窪み４５が形成される。なお、回転軸Ａｘが下面２１と直交する方向に延び、略円筒状に形成された第１の工具３０を、蓋部材１１ｂに圧入しても良い。
【０１２９】
以上説明された第８の実施形態のように、第１の工具３０は、円柱状に限らず、円筒状のような他の形状を有しても良い。
【０１３０】
（第９の実施形態）
以下に、第９の実施形態について、図１５乃至図１９を参照して説明する。図１５は、第９の実施形態に係る蓋部材１１ｂの一部を概略的に示す断面図である。以下、第９の実施形態における電池１０の製造方法の一部について例示する。なお、電池１０の製造方法は以下の方法に限らず、他の方法を用いても良い。
【０１３１】
図１６は、第９の実施形態の第１の工具３０の圧入前における蓋部材１１ｂの一部を概略的に示す断面図である。図１６に示すように、第９の実施形態では、第１の工具３０に加えて、第２の工具８０が用いられる。
【０１３２】
第１の工具３０及び第２の工具８０は、例えば、複動式の摩擦攪拌接合に用いられるツールである。なお、第１の工具３０及び第２の工具８０は、この例に限られない。第２の工具８０は、回転軸Ａｘに沿って延びる略円筒状に形成される。第１の工具３０は、第２の工具８０の内側に位置する。
【０１３３】
第２の工具８０は、例えばモータのような駆動装置によって、回転軸Ａｘまわりに回転することが可能である。第２の工具８０の駆動装置は、例えば、第１の工具３０の駆動装置と異なる。このため、第２の工具８０の回転方向及び回転速度は、第１の工具３０の回転方向及び回転速度と異なっても良い。
【０１３４】
さらに、第２の工具８０は、第１の工具３０とともに、Ｘ方向、Ｙ方向、及びＺ方向に、蓋部材１１ｂに対して相対的に移動することが可能である。また、第１の工具３０と第２の工具８０とは、回転軸Ａｘが延びる方向に相対的に移動可能である。
【０１３５】
第２の工具８０は、略円環状の端面８１と、内周面８２とを有する。端面８１は、当接面と称され得る。本実施形態において、第２の工具８０の端面８１は、第１の工具３０の端面３１と同じく、軸方向に向く略平坦な面である。なお、端面８１は、突出し又は窪む曲面であっても良い。内周面８２は、端面８１から軸方向に延びる略円筒形の面である。内周面８２は、第１の工具３０の外周面３２に接触し、又は僅かな隙間を介して外周面３２と向かい合う。
【０１３６】
第２の工具８０に、凹部８３が設けられる。凹部８３は、端面８１に開口する有底の穴である。本実施形態において、凹部８３は、回転軸Ａｘまわりに回転対称となる形状を有する。
【０１３７】
本実施形態では、まず、第２の工具８０の端面８１が、蓋部材１１ｂの上面２２に当接させられる。このとき、第１の工具３０は、蓋部材１１ｂから離間している。第２の工具８０は、上面２２から蓋部材１１ｂに僅かに圧入されても良い。この場合、第２の工具８０が蓋部材１１ｂに圧入される深さは、以下で第１の工具３０が蓋部材１１ｂに圧入される深さよりも浅い。
【０１３８】
次に、図１５に示すように、第１の工具３０が、回転軸Ａｘまわりに回転しながら、蓋部材１１ｂに圧入される。このとき、回転軸Ａｘが延びる方向において、第２の工具８０は静止している。すなわち、第１の工具３０は、第２の工具８０に対して、回転軸Ａｘが延びる方向に相対的に移動し、蓋部材１１ｂに圧入される。
【０１３９】
回転する第１の工具３０が蓋部材１１ｂに圧入されることで、第１の工具３０と蓋部材１１ｂとの摩擦熱により、蓋部材１１ｂの材料が軟化する。軟化した材料は、第１の工具３０の回転力により塑性流動し、攪拌される。このように、回転する第１の工具３０によって、蓋部材１１ｂに、当該蓋部材１１ｂの材料が攪拌された攪拌部分４１が形成される。
【０１４０】
回転する第１の工具３０が蓋部材１１ｂに圧入されることで、第１の工具３０が圧入した分の材料が蓋部材１１ｂの外部へ塑性流動する。第２の工具８０の端面８１が上面２２に当接し、端面８１に凹部８３が開口するため、蓋部材１１ｂの材料は、凹部８３に流入するよう塑性流動する。これにより、凹部８３の内部に、凹部８３の形状に応じた隆起部分５１が形成される。本実施形態において、凹部８３の容積は、第１の工具３０が蓋部材１１ｂに圧入される体積以下に設定されるが、この例に限られない。
【０１４１】
隆起部分５１は、例えば、蓋部材１１ｂに圧入された第１の工具３０の回転軸Ａｘの周方向に延び、略円環状に形成される。隆起部分５１は、窪み４５の近傍において、窪み４５の縁に沿って延びる。隆起部分５１は、攪拌部分４１に接続されており、攪拌部分４１から突出する。なお、隆起部分５１は、攪拌部分４１から離間していても良い。
【０１４２】
図１７は、第９の実施形態の第１の工具３０が引き抜かれた蓋部材１１ｂの一部を概略的に示す断面図である。図１７に示すように、第１の工具３０が所望の深さまで蓋部材１１ｂに圧入され、且つ隆起部分５１が形成されると、第１の工具３０が蓋部材１１ｂから引き抜かれる。第１の工具３０の圧入により、蓋部材１１ｂに窪み４５の底面４６、内側面４７、及び角部分４８が形成される。さらに、第２の工具８０が蓋部材１１ｂから離間する。
【０１４３】
攪拌部分４１と他の部分４２との間の境界Ｂの少なくとも一部は、底面４６と内側面４７との角部分４８、又はその近傍に位置する。このため、第１の実施形態と同じく、境界Ｂ及び角部分４８において応力集中が生じやすくなる。
【０１４４】
第１の実施形態と同じく、隆起部分５１が設けられた位置における蓋部材１１ｂの厚さＴ１は、第１の工具３０が圧入された位置における蓋部材１１ｂの厚さＴ２よりも厚い。隆起部分５１が形成されることにより、内側面４７が延長されたようになり、角部分４８は、さらに応力集中が生じやすくなる。
【０１４５】
以上のように、攪拌部分４１と、窪み４５の底面４６、内側面４７、及び角部分４８と、隆起部分５１とが形成されることで、蓋部材１１ｂに防爆弁２５が形成される。
【０１４６】
図１８は、第９の実施形態の第１の変形例に係る蓋部材１１ｂの一部を概略的に示す断面図である。図１８に示すように、凹部８３は、端面８１及び内周面８２に開口しても良い。この場合、隆起部分５１は、窪み４５の内側面４７に接しているため、内側面４７を延長する。従って、角部分４８は、さらに応力集中が生じやすくなる。
【０１４７】
図１９は、第９の実施形態の第２の変形例に係る蓋部材１１ｂの一部を概略的に示す断面図である。図１９に示すように、窪み４５の底面４６と下面２１との間に亘って、攪拌部分４１がさらに形成されても良い。この場合も、攪拌部分４１と蓋部材１１ｂにおける他の部分４２との間の境界Ｂは、角部分４８又はその近傍に位置する。
【０１４８】
図１５乃至図１９の例において、第２の工具８０は、回転軸Ａｘまわりに第１の工具３０と同じ方向に回転する。すなわち、第２の工具８０は、第１の工具３０により攪拌される材料と略同一方向に回転する。このため、塑性流動する材料が凹部８３に流入しやすい。なお、第２の工具８０は、回転軸Ａｘまわりの回転方向において静止していても良い。
【０１４９】
以上説明された第９の実施形態において、隆起部分５１は、材料が第２の工具８０の端面８１に開口する凹部８３に流入するよう塑性流動することで形成される。これにより、所望の位置に隆起部分５１を形成することができ、所望の応力で破断する蓋部材１１ｂを得やすくなる。
【０１５０】
第２の工具８０は、回転軸Ａｘまわりに第１の工具３０と同じ方向に回転する。これにより、塑性流動する材料が凹部８３に流入しやすくなり、第１の工具３０を蓋部材１１ｂに圧入する力を低減することができる。従って、例えば、第１の工具３０の駆動装置を小型化することができる。
【０１５１】
第１の工具３０は、第２の工具８０に対して回転軸Ａｘが延びる方向に相対的に移動可能である。これにより、所望の形状の隆起部分５１を作りやすくなる。
【０１５２】
（第１０の実施形態）
以下に、第１０の実施形態について、図２０乃至図２２を参照して説明する。図２０は、第１０の実施形態に係る蓋部材１１ｂの一部を概略的に示す断面図である。図２１は、第１０の実施形態の蓋部材１１ｂの一部を概略的に示す平面図である。
【０１５３】
図２０に示すように、第１０の実施形態では、第２の実施形態と同じく、回転軸Ａｘが下面２１と斜めに交差する方向に延びる。さらに、第９の実施形態と同じく、第１の工具３０及び第２の工具８０が用いられる。一方、第２の工具８０の端面８１は、下面２１と直交する方向に向く。また、第２の工具８０は、回転軸Ａｘまわりの回転方向において静止している。なお、第２の工具８０は、第９の実施形態と同じく移動可能である。
【０１５４】
第９の実施形態において、凹部８３は、回転軸Ａｘまわりに非回転対称となる形状を有する。このため、凹部８３に流入した材料により形成される隆起部分５１も、回転軸Ａｘまわりに非回転対称となる形状を有する。図２１に示すように、隆起部分５１は、回転軸Ａｘの周方向に延びる円弧状に形成される。
【０１５５】
図２０に示すように、角部分４８の深部４８ａと、隆起部分５１とは、回転軸Ａｘの径方向において並んでいる。径方向は、回転軸Ａｘと直交する方向である。このように隆起部分５１が配置されることで、深部４８ａは、角部分４８の他の部分よりもさらに応力集中が生じやすくなる。
【０１５６】
図２２は、第１０の実施形態の変形例に係る蓋部材１１ｂの一部を概略的に示す断面図である。図２２に示すように、窪み４５の底面４６と下面２１との間に亘って、攪拌部分４１がさらに形成されても良い。この場合も、攪拌部分４１と蓋部材１１ｂにおける他の部分４２との間の境界Ｂは、角部分４８の深部４８ａ又はその近傍に位置する。
【０１５７】
以上説明された第１０の実施形態において、底面４６は、下面２１との間の距離が、当該底面４６の他の部分よりも短い深部４８ａを有する。これにより、深部４８ａが形成された位置での蓋部材１１ｂの厚さをさらに薄くし、応力集中を生じやすくすることができる。さらに、隆起部分５１は、当該深部４８ａと、回転軸Ａｘの径方向において並んでいる。これにより、深部４８ａにおいてさらに応力集中が生じやすくなる。従って、蓋部材１１ｂに応力集中による破断が生じやすくなり、所望の応力で破断する蓋部材１１ｂを得やすくなる。
【０１５８】
（第１１の実施形態）
以下に、第１１の実施形態について、図２３及び図２４を参照して説明する。図２３は、第１１の実施形態に係る蓋部材１１ｂの一部を概略的に示す断面図である。第１１の実施形態では、第４の実施形態と同じく、第１の工具３０が、予め形成された窪み６１の底面６２から、蓋部材１１ｂに圧入される。一方、第１１の実施形態では、第１の工具３０に加えて、第２の工具９０が用いられる。
【０１５９】
第２の工具９０は、回転軸Ａｘと略平行であって、第１の工具３０の進行方向に延びる二つの壁９１を有する。第１の工具３０は、二つの壁９１の間に位置する。壁９１は、第１の工具３０とともに、Ｘ方向、Ｙ方向、及びＺ方向に、蓋部材１１ｂに対して相対的に移動することが可能である。また、第１の工具３０は、第２の工具９０に対して回転軸Ａｘが延びる方向に相対的に移動可能である。
【０１６０】
第２の工具９０は、端面９２と、内側面９３とを有する。端面９２は、当接面と称され得る。本実施形態において、第２の工具９０の端面９２は、第１の工具３０の端面３１と同じく、軸方向に向く略平坦な面である。なお、端面９２は、突出し又は窪む曲面であっても良い。内側面９３は、端面９２から軸方向に延びる略平坦な面である。内側面９３は、第１の工具３０の外周面３２に接触し、又は僅かな隙間を介して外周面３２と向かい合う。
【０１６１】
第２の工具９０に、凹部９４が設けられる。凹部９４は、端面９２及び内側面９３に開口する有底の穴である。本実施形態において、凹部９４は、第１の工具３０の進行方向に延びる。
【０１６２】
本実施形態では、まず、第２の工具９０の端面９２が、蓋部材１１ｂの上面２２に当接させられる。このとき、第１の工具３０は、蓋部材１１ｂから離間している。
【０１６３】
次に、第１の工具３０が、回転軸Ａｘまわりに回転しながら、窪み６１の底面６２から、蓋部材１１ｂに圧入される。このとき、回転軸Ａｘが延びる方向において、第２の工具９０は静止している。
【０１６４】
回転する第１の工具３０が蓋部材１１ｂに圧入されることで、第１の工具３０と蓋部材１１ｂとの摩擦熱により、蓋部材１１ｂの材料が軟化する。軟化した材料は、第１の工具３０の回転力により塑性流動し、攪拌される。このように、回転する第１の工具３０によって、蓋部材１１ｂに、当該蓋部材１１ｂの材料が攪拌された攪拌部分４１が形成される。
【０１６５】
第１１の実施形態において、第１の工具３０は、下面２１又はその近傍に達するまで、蓋部材１１ｂに圧入される。これにより、攪拌部分４１は、底面６２と下面２１との間に亘って形成される。
【０１６６】
回転する第１の工具３０が蓋部材１１ｂに圧入されることで、第１の工具３０が圧入した分の材料が蓋部材１１ｂの外部へ塑性流動する。材料の一部は、回転する第１の工具３０によって、回転軸Ａｘまわりに回転しながら＋Ｚ方向に移動する。
【０１６７】
第２の工具９０の端面９２が上面２２に当接し、内側面９３に凹部９４が開口するため、蓋部材１１ｂの材料の一部は、凹部９４に流入するよう塑性流動する。これにより、凹部９４の内部に、凹部９４の形状に応じた隆起部分５１が形成される。本実施形態において、凹部９４の容積は、第１の工具３０が蓋部材１１ｂに圧入される体積以下に設定されるが、この例に限られない。隆起部分５１は、例えば、窪み６１に沿って延びる。
【０１６８】
所望の攪拌部分４１及び隆起部分５１が形成されると、第１の工具３０が蓋部材１１ｂから引き抜かれる。さらに、第２の工具９０が蓋部材１１ｂから離間する。隆起部分５１が設けられた位置における蓋部材１１ｂの厚さＴ１は、第１の工具３０が圧入された位置における蓋部材１１ｂの厚さＴ２よりも厚い。
【０１６９】
攪拌部分４１と他の部分４２との間の境界Ｂの少なくとも一部は、底面６２と内側面６３との角部分６５、又はその近傍に位置する。このため、第４の実施形態と同じく、境界Ｂ及び角部分６５において応力集中が生じやすくなる。加えて、隆起部分５１が形成されることにより、内側面６３が延長されたようになり、角部分６５は、さらに応力集中が生じやすくなる。
【０１７０】
以上のように、攪拌部分４１と、窪み６１の底面６２、内側面６３、及び角部分６５と、隆起部分５１とが形成されることで、蓋部材１１ｂに防爆弁２５が形成される。
【０１７１】
図２４は、第１１の実施形態の変形例に係る蓋部材１１ｂの一部を概略的に示す断面図である。図２４に示すように、回転軸Ａｘは、第５の実施形態と同じく、下面２１と斜めに交差する方向に延びても良い。
【０１７２】
以上説明された第１１の実施形態のように、内側面６３が攪拌されていない他の部分４２により形成されながら、隆起部分５１が上面２２から突出しても良い。
【０１７３】
（第１２の実施形態）
以下に、第１２の実施形態について、図２５及び図２６を参照して説明する。図２５は、第１２の実施形態の第１の例に係る蓋部材１１ｂの一部を概略的に示す断面図である。図２５に示す第１の例では、第１の実施形態と同じく、第１の工具３０が上面２２から蓋部材１１ｂに圧入されることで、窪み４５が形成される。当該第１の例では、窪み４５が略半球状に形成される。
【０１７４】
第１の工具３０が蓋部材１１ｂに圧入されて窪み４５が形成されることで、蓋部材１１ｂに凹面１０１が形成される。凹面１０１は、窪み４５を形成（規定）する。凹面１０１が形成されることで、当該凹面１０１が凹状部分Ｒを形成する。
【０１７５】
攪拌部分４１と他の部分４２との間の境界Ｂの少なくとも一部は、凹面１０１又はその近傍に位置する。例えば、凹面１０１は、下面２１との間の距離が、当該凹面１０１の他の部分よりも短い深部１０１ａを有する。境界Ｂの少なくとも一部は、深部１０１ａに位置する。
【０１７６】
図２６は、第１２の実施形態の第２の例に係る蓋部材１１ｂの一部を概略的に示す断面図である。図２６に示す第２の例では、第４の実施形態と同じく、予め窪み６１が形成される。当該第２の例では、窪み６１は、略半円状の断面を有する溝である。窪み６１が形成されることで、蓋部材１１ｂに凹面１０５が形成される。凹面１０５は、窪み６１を形成（規定）する。凹面１０５が形成されることで、当該凹面１０５が凹状部分Ｒを形成する。
【０１７７】
攪拌部分４１と他の部分４２との間の境界Ｂの少なくとも一部は、凹面１０５又はその近傍に位置する。例えば、凹面１０５は、下面２１との間の距離が、当該凹面１０５の他の部分よりも短い深部１０５ａを有する。境界Ｂの少なくとも一部は、深部１０５ａに位置する。
【０１７８】
攪拌部分４１は、下面２１と凹面１０５との間に亘って形成される。そして、攪拌部分４１と蓋部材１１ｂにおける他の部分４２との間の境界Ｂが、凹面１０５の深部１０５ａと下面２１との間に亘って設けられる。これにより、深部１０５ａで生じた破断が下面２１まで達しやすくなり、所望の応力で破断する蓋部材１１ｂを得やすくなる。
【０１７９】
以上説明された第１２の実施形態のように、凹状部分Ｒは、角部分４８，６５，７５に限らず、凹面１０１，１０５のような部分により形成されても良い。
【０１８０】
以上の複数の実施形態において、第１の工具３０の圧入により攪拌部分４１、底面４６、内側面４７、及び角部分４８が形成され、又は予め底面６２、内側面６３、及び角部分６５が形成されるとともに第１の工具３０の圧入により攪拌部分４１が形成される。しかし、蓋部材１１ｂを有する電池１０の製造方法はこの例に限られない。例えば、攪拌部分４１が形成された後に、攪拌部分４１と他の部分４２との間の境界Ｂが上面２２と側面７２との角部分７５又はその近傍に位置するように、プレス加工のような加工によって凸部７１が形成されても良い。このように、蓋部材１１ｂを有する電池１０の製造方法は、以上説明された手順を、説明された技術的思想の範囲内で入れ替え又は変更することが可能である。
【０１８１】
また、以上の複数の実施形態において、電池１０の蓋部材１１ｂが脆弱部形成材の一例であったが、脆弱部形成材はこの例に限られない。すなわち、脆弱部形成材は、種々の用途に用いられることが可能であり、電池の防爆弁に限定されない。
【０１８２】
以上、本発明の実施形態を例示したが、上記実施形態及び変形例はあくまで一例であって、発明の範囲を限定することは意図していない。上記実施形態や変形例は、その他の様々な形態で実施されることが可能であり、発明の要旨を逸脱しない範囲で、種々の省略、置き換え、組み合わせ、変更を行うことができる。また、各実施形態や各変形例の構成や形状は、部分的に入れ替えて実施することも可能である。
【符号の説明】
【０１８３】
１０…密閉型電池、１１…容器、１１ｂ…蓋部材、１２…電極群、１３…電解液、２１…下面、２２…上面、２５…防爆弁、３０…第１の工具、４１…攪拌部分、４２…他の部分、４６…底面、４７…内側面、４８…角部分、４８ａ…深部、５１…隆起部分、６２…底面、６３…内側面、６５…角部分、６５ａ…深部、７２…側面、７３…頂面、７５…角部分、Ａｘ…回転軸、Ｂ…境界、Ｒ…凹状部分。
【図１】
2020161329.tif 000003
【図２】
2020161329.tif 000004
【図３】
2020161329.tif 000005
【図４】
2020161329.tif 000006
【図５】
2020161329.tif 000007
【図６】
2020161329.tif 000008
【図７】
2020161329.tif 000009
【図８】
2020161329.tif 000010
【図９】
2020161329.tif 000011
【図１０】
2020161329.tif 000012
【図１１】
2020161329.tif 000013
【図１２】
2020161329.tif 000014
【図１３】
2020161329.tif 000015
【図１４】
2020161329.tif 000016
【図１５】
2020161329.tif 000017
【図１６】
2020161329.tif 000018
【図１７】
2020161329.tif 000019
【図１８】
2020161329.tif 000020
【図１９】
2020161329.tif 000021
【図２０】
2020161329.tif 000022
【図２１】
2020161329.tif 000023
【図２２】
2020161329.tif 000024
【図２３】
2020161329.tif 000025
【図２４】
2020161329.tif 000026
【図２５】
2020161329.tif 000027
【図２６】
2020161329.tif 000028